(57)【要約】【課題】凸状の上下レールが同一垂直線に存在する被取付枠だけでなく、下レールが上レールより外方に出ている被取付枠にも、取り付けられると共に、建付調整機能をも有すること。【解決手段】  下部の網戸体２の下桟８は、上部の網戸体１の存在する面側に突出して下方に開口する凹条部１３を設けて成り、この凹条部１３にレール受１６・１６を２箇所に取り付けてある。レール受１６は、断面略コ字状で内底面に２条の隔壁３７・３７を設けて、３条のレール溝３８・・・３８を設けてある。隔壁３７・３７は、２箇所を切り欠いて３分割にしてあり、中央の隔壁３７・３７の周囲を他面より低くした凹段部３９を設けてある。調整部品３６は、略矩形の板状で、レール受１６の凹段部３９にほぼ合致する大きさで、中央の隔壁３７・３７に嵌合する嵌合孔４０・４０を設けてある。【選択図】図１１
2006161468.tif 000002
【特許請求の範囲】
【請求項１】
網戸体の下桟に複数のレール受を取り付け、レール受に調整部品を取り付けられるように成した網戸装置であって、レール受は、隔壁を設けて被取付枠の凸状の下レールに選択的に係合し得る複数のレール溝を形成して成ると共に、調整部品は、レール受の隔壁に嵌合する嵌合孔を設けて成り、隔壁に嵌合孔を嵌合して調整部品をレール受に取り付けることによって、レール溝の深さを変更し得るように成したことを特徴とする網戸装置。
【発明の詳細な説明】
【技術分野】
【０００１】
本発明は、凸状の上下レールが同一垂直線上に存在する被取付枠だけでなく、下レールが上レールより外方に出ている被取付枠にも取り付けられると共に、建付調整機能をも有する網戸装置に関するものである。
【背景技術】
【０００２】
従来より、特願平７−３０２１５５号（特開平９−１１９２５８号）発明のように、引き戸の底面にナットを埋め込んでなる格納凹部を形成し、前記ナットに小ネジをネジ込んで該小ネジを介し前記格納凹部内に滑りチップを着脱可能に格納させ、該滑りチップと前記ナット間に調節部材を前記小ネジに外嵌させて介装させることにより、前記滑りチップの前記格納凹部からの突出量を調節可能に構成した引き戸の上下調節構造は提案されている。
【特許文献１】特開平９−１１９２５８号公報
【発明の開示】
【発明が解決しようとする課題】
【０００３】
上記従来例においては、敷居溝内を走行する引き戸に適用される上下調節構造であり、凸状のレールを走行する網戸には適用できるものではない。
また、網戸を取り付ける被取付枠には、上下レールが同一垂直線上に存在する被取付枠だけでなく、下レールが上レールより外方に出ている被取付枠もあるが、本発明は、いずれの被取付枠にも取付が可能であり、なおかつ、建付調整機能を有する網戸装置を提供することを課題としている。
【課題を解決するための手段】
【０００４】
本発明は、上記の課題を解決するためのもので、網戸体の下桟に複数のレール受を取り付け、レール受に調整部品を取り付けられるように成した網戸装置であって、レール受は、隔壁を設けて被取付枠の凸状の下レールに選択的に係合し得る複数のレール溝を形成して成ると共に、調整部品は、レール受の隔壁に嵌合する嵌合孔を設けて成り、隔壁に嵌合孔を嵌合して調整部品をレール受に取り付けることによって、レール溝の深さを変更し得るように成したことを特徴とする網戸装置である。
【発明の効果】
【０００５】
以上のように本発明によれば、凸状の上下レールが同一垂直線に存在する被取付枠だけでなく、下レールが上レールより外方に出ている被取付枠にも取り付けられると共に、建付の調整をすることができるという効果がある。
また、調整部品は嵌合するだけで取り付けられるので、安価で着脱も簡単であるという効果もある。
【実施例】
【０００６】
本発明の網戸装置は、２枚の網戸体１・２を上下摺動可能にそれぞれの一面を重ねて接続して構成してあり、被取付枠Ｓの一側部に、上下のレールＨ・Ｌ間に係合させて取り付けられ、外側の窓Ｗを、この網戸装置の幅だけ開放して使用する。
なお、本実施例のように、本発明の網戸装置を取り付ける上下のレールが網戸用のレールの場合は、内外両方の窓の開閉に支障はないが、本発明の網戸装置は、外側の窓用のレールに取り付けることもでき、この場合は、外側の窓は、網戸装置に当たるので全開することはできなくなる。
【０００７】
上部の網戸体１は、縦桟３・３、上桟４及び中桟５によって組まれた枠体に網２５を張って構成されている。
上桟４の上端面には、横方向に沿って上方に開口する凹条のレール溝１２を設け、縦桟３・３には、縦方向に沿って一面側に開口する蟻溝状の摺動溝１４・１４をそれぞれ設けてある。
【０００８】
縦桟３・３の下端部には、接続具９・９を固定してある。接続具９は、縦桟３の摺動溝１４に挿入されて固定される固定部１８、固定部１８の下面に鍔状に張り出している蓋部１７及び固定部１８の一面側に括れている連結部２３を介して摺動部１９を一体成形してある。摺動部１９は、縦に細長く蓋部１７より下方にも突出して設けられており、そこにナット３５を設けてこのナット３５に固定ねじ１１を螺合してあり、後述するように、摺動部１９は、下部の網戸体２の縦桟６に設けた摺動溝１５内を摺動できるようになっており、固定ねじ１１を締め付けると摺動不能になるようになっている。
【０００９】
下部の網戸体２は、縦桟６・６、中桟７及び下桟８によって組まれた枠体に網２６を張って構成されている。
下桟８は、上部の網戸体１の存在する面側に突出して下方に開口する凹条部１３を設けて成り、この凹条部１３にレール受１６・１６を２箇所に取り付けてある。レール受１６は、断面略コ字状で下向きに取り付けられ、内底面に２条の隔壁３７・３７を設けて、３条のレール溝３８・・・３８を設けてある。各隔壁３７・３７は、２箇所を切り欠いて３分割してあり、中央の隔壁３７・３７の周囲を他面より低くして凹段部３９を設けてある。
【００１０】
調整部品３６は、略矩形の板状で、レール受１６の凹段部３９にほぼ合致する大きさで、中央の隔壁３７・３７に嵌合する嵌合孔４０・４０を設けてある。この調整部品３６は、その厚さが凹段部３９の深さより厚く、レール受１６の中央の隔壁３７・３７に嵌合して凹段部３９に収納されて取り付けられるようになっており、その時、調整部品３６の底面は、レール受１６の凹段部３９以外の底面よりも少し突出するようになっている。
【００１１】
微細な調整をするために調整部品３６を薄く製作することが望ましいが、製作が難しいし、取り扱いも厄介であるという問題がある。そのため、調整部品３６を凹段部３９に収納することによって、調整部品３６を厚くしても、レール受１６の底面からの突出量が小さくでき、微細な調整を可能にすることができる。
【００１２】
そして、網戸装置を垂直にした状態で、上部の網戸体１の上桟４に設けたレール溝１２と、下部の網戸体２の下桟８に設けた凹条部１３内に取り付けたレール受１６の最も室内側のレール溝３８とが同一垂直線Ｖ上に存在するように設けて成る。
【００１３】
また、縦桟６・６には、長手方向（縦方向）に沿って一面側に、上部網戸体１の縦桟３の摺動溝１４に対向するように、開口する蟻溝状の摺動溝１５・１５をそれぞれ設けてある。
【００１４】
縦桟６・６の上端部には、接続具１０・１０を固定してある。接続具１０は、縦桟６の摺動溝１５に挿入されて固定される固定部２１、固定部２１の上面に鍔状に張り出している蓋部２０及び固定部２１の一面側に括れている連結部２４を介して摺動部２２を一体成形してある。後述するように、摺動部２２は、上部の網戸体１の縦桟３に設けた摺動溝１４内を摺動できるようになっている。
【００１５】
下部の網戸体２の縦桟６・６の摺動溝１５内には、接続具１０の固定部２１と、接続具９の摺動部１９との間に位置するように、角棒状のスペーサー２７が入っている。上下部の網戸体１・２をそれぞれ上方向・下方向に伸ばした時、つまり、全体の長さを長くする時、固定部２１と摺動部１９がこのスペーサー２７の上下端に当接して、上下部の網戸体１・２の重なり寸法を一定以上確保し、重なり部分の強度が弱くならないようにしている。
【００１６】
上部の網戸体１の縦桟３・３には、長手方向に沿って室内側に突出する虫止め２８・２８を、下部の網戸体２の縦桟６・６には、長手方向に沿って室内側に突出する虫止め２９・２９を取り付けてある。虫止め２８と虫止め２９の先端縁は揃えて設けてある。
【００１７】
本発明の網戸装置の高さ寸法を調整するには、両側の固定ねじ１１・１１を緩め、上下部の網戸体１・２を上下に伸縮して、固定ねじ１１・１１を締め付ければよい。固定ねじ１１を締め付けると、この固定ねじ１１とナット３５で摺動溝１５の開口両端縁部を挟み込むことにより固定される。
上下部の網戸体１・２を上下に伸縮すると、接続具９の摺動部１９が下部の網戸体２の縦桟６に設けた摺動溝１５内を摺動すると共に、接続具１０の摺動部２２が上部の網戸体１の縦桟３に設けた摺動溝１４内を摺動する。
【００１８】
図２に示すように、被取付枠Ｓの上下のレールＨとＬが同一垂直線Ｖ上に存在する場合には、上桟４に設けたレール溝１２を上レールＨに係合させると共に、下桟８に取り付けたレール受１６の最も室内側のレール溝３８を下レールＬに係合させて、本発明の網戸装置を被取付枠Ｓに取り付ける。
【００１９】
また、被取付枠Ｓの下のレールＬが上のレールＨよりも、外方に出ている場合には、レール受１６の最も室内側のレール溝３８よりも室外側にある２つのレール溝３８・３８のいずれかを下レールＬに係合させて、網戸装置を被取付枠Ｓに取り付ける。
【００２０】
本発明の網戸装置の建付を調整する方法を説明する。
図１に示すように、網戸装置を被取付枠Ｓの一側部の縦枠Ｔに接触するように取り付けた状態で、網戸装置の一側の縦桟３・６と被取付枠Ｓの縦枠Ｔとの間に、上方に三角の隙間が生じた場合には、被取付枠Ｓの縦枠Ｔから遠い方のレール受１６に、上述のように調整部品３６を取り付けることによって、網戸装置の一側の縦桟３・６の上部を被取付枠Ｓの縦枠Ｔに近づけ、上方の三角の隙間を消滅させて建付調整することができる。
【００２１】
また逆に、網戸装置の一側の縦桟３・６と被取付枠Ｓの縦枠Ｔとの間に、下方に三角の隙間が生じた場合には、被取付枠Ｓの縦枠Ｔに近い方のレール受１６に、調整部品３６を取り付ければよい。これら建付を調整する方法は、レール受１６のいずれのレール溝３８が下レールＬに係合していても同じである。さらに、厚さの違う調整部品３６を複数用意しておけば、被取付枠Ｓに合わせて微細な建付調整が可能となる。
【００２２】
図１０は、上部の網戸体の縦桟に固定される接続具３０の他の実施例であって、摺動部３１の下部に圧縮ばね等の弾性体３３を介して固定基体３２を取り付けてあり、固定基体３２に固定ねじ３４を螺合してある。なお、その他の構成は、上記実施例と同じである。
【００２３】
この構成とすると、上下部の網戸体が弾性体３３を介して接続されていることになり、この弾性力により、網戸装置を上下レールに突っ張って取り付けることができるので、風等によりがたつくことがない、上下レールから外れにくい、固定ねじによる固定を解除せずに上下ケンドンで着脱できるようにすることも可能である等の効果を奏することができる。
【図面の簡単な説明】
【００２４】
【図１】使用状態を示す正面図である。
【図２】図１の一部省略したＡ−Ａ線拡大断面図である。
【図３】図１の一部省略したＢ−Ｂ線拡大断面図である。
【図４】図１の一部省略したＣ−Ｃ線拡大断面図である。
【図５】全体斜視図である。
【図６】網戸体を上下に伸縮する構造を示す斜視図である。
【図７】図５の一部省略したＤ−Ｄ線拡大断面図である。
【図８】図６の一部省略したＥ−Ｅ線拡大断面図である。
【図９】図６の一部省略したＦ−Ｆ線拡大断面図である。
【図１０】接続具の他の実施例を示す図６と同様の斜視図である。
【図１１】下部の網戸体の下桟を下方から見た斜視図である。
【図１２】図１１の拡大斜視図である。
【図１３】レール受と調整部品の斜視図である。
【図１４】レール受を取り付けた下部網戸体の下桟と調整部品の断面図である。
【図１５】Ｇ−Ｇ線拡大断面図である。
【符号の説明】
【００２５】
１    網戸体
２    網戸体
８    下桟
１６    レール受
３６    調整部品
３７    隔壁
３８    レール溝
４０    嵌合孔
【図１】
2006161468.tif 000003
【図２】
2006161468.tif 000004
【図３】
2006161468.tif 000005
【図４】
2006161468.tif 000006
【図５】
2006161468.tif 000007
【図６】
2006161468.tif 000008
【図７】
2006161468.tif 000009
【図８】
2006161468.tif 000010
【図９】
2006161468.tif 000011
【図１０】
2006161468.tif 000012
【図１１】
2006161468.tif 000013
【図１２】
2006161468.tif 000014
【図１３】
2006161468.tif 000015
【図１４】
2006161468.tif 000016
【図１５】
2006161468.tif 000017